(57)【要約】      （修正有）【課題】簡単かつ正確に電話又はファクシミリの発信を行うことができる複合通信端末装置を提供する。【解決手段】ハンドセット２６を持ち上げた状態で有効なＲＦＩＤタグが付された名刺を複合通信端末装置１０にかざすと、あるいは、有効なＲＦＩＤタグが付された名刺を複合通信端末装置１０にかざして、ハンドセット２６を持ち上げると、名刺に付されたＲＦＩＤタグから電話番号の情報が読み取られ、自動発信される。また、原稿トレイに送信原稿をセットした状態で有効なＲＦＩＤタグが付された名刺を複合通信端末装置１０にかざすと、あるいは、原稿トレイに送信原稿をセットした状態で有効なＲＦＩＤタグが付された名刺を複合通信端末装置１０にかざして、原稿トレイに送信原稿をセットすると、名刺に付されたＲＦＩＤタグからファクシミリ番号の情報が読み取られ、自動発信される。【選択図】      図１
2005348027.tif 000002
【特許請求の範囲】
【請求項１】
回線を通じて接続された相手と受話器を介して通話する電話機能と、原稿トレイにセットされた原稿の内容を読み取り、回線を通じて指定された送信先に送信するファクシミリ機能とを備えた複合通信端末装置において、
電話番号及び／又はファクシミリ番号が記憶された無線ＩＣタグから電話番号及び／又はＦＡＸ番号を読み取る読取手段と、
オフフックを検出するオフフック検出手段と、
前記原稿トレイにセットされた原稿を検出する原稿検出手段と、
前記オフフック検出手段及び前記原稿検出手段の検出結果に基づき前記読取手段で読み取った電話番号又はファクシミリ番号に発信する発信手段であって、前記読取手段で電話番号又は電話番号とファクシミリ番号が読み取られ、前記オフフック検出手段でオフフックが検出されると、前記読取手段で読み取った電話番号に発信し、前記読取手段でファクシミリ番号又はファクシミリ番号と電話番号が読み取られ、前記原稿検出手段で原稿が検出されると、前記読取手段で読み取ったファクシミリ番号に発信する発信手段と、
を備えたことを特徴とする複合通信端末装置。
【請求項２】
前記読取手段で読み取った電話番号及び／又はファクシミリ番号を表示する表示手段を備えたことを特徴とする請求項１に記載の複合通信端末装置。
【請求項３】
前記読取手段で電話番号を読み取った後、一定時間内に前記オフフック検出手段によるオフフックの検出がない場合、前記読取手段でファクシミリ番号を読み取った後、一定時間内に前記原稿検出手段による原稿の検出がない場合、又は、前記読取手段で電話番号とファクシミリ番号を読み取った後、一定時間内に前記オフフック検出手段によるオフフックの検出、又は、前記原稿検出手段による原稿の検出がない場合に警告を発する警告手段を備えたことを特徴とする請求項１又は２に記載の複合通信端末装置。
【請求項４】
通話を行った通話日時及びファクシミリを送信したファクシミリ送信日時を計時する計時手段と、
前記計時手段で計時された通話日時又はファクシミリ送信日時を前記無線ＩＣタグに書き込む書込手段と、
を備え、前記読取手段は、前記無線ＩＣタグに記憶された電話番号及び／又はファクシミリ番号を読み取るとともに、前記無線ＩＣタグに記憶された前回の通話日時及び／又はファクシミリ送信日時を読み取り、前記表示手段は、前記読取手段で読み取った電話番号及び／又はファクシミリ番号を表示するとともに、前記読取手段で読み取った前回の通話日時及び／又はファクシミリ送信日時を表示することを特徴とする請求項２又は３に記載の複合通信端末装置。
【発明の詳細な説明】
【技術分野】
【０００１】
本発明は複合通信端末装置に係り、特に電話機能とファクシミリ送信機能とを備えた複合通信端末装置に関する。
【背景技術】
【０００２】
たとえば、過去に名刺交換を行った人物と電話で連絡をとる場合、その名刺に記載された電話番号を見て電話をかけるのが一般的である。
【０００３】
しかしながら、このような方法で電話をかけると、番号の見間違えやダイヤルの誤操作などにより、間違った相手に電話をかけてしまうおそれがある。
【０００４】
そこで、特許文献１では、名刺に電話番号やファクシミリ番号などの名刺情報を記録した磁気テープを貼り付け、相手と通信する場合は、この名刺に貼り付けられた磁気テープから名刺情報を読み取って発信することが提案されている。
【０００５】
また、特許文献２では、名刺に電話番号やファクシミリ番号などが記録された非接触ＩＣタグを取り付け、相手と通信する場合は、この名刺に取り付けられた非接触ＩＣタグから電話番号又はファクシミリ番号を読み取って発信することが提案されている。
【特許文献１】特開平７−２２１８２９号公報
【特許文献２】特開２００２−１８３６９３号公報
【発明の開示】
【発明が解決しようとする課題】
【０００６】
ところで、電話とファクシミリの双方の機能を備えた複合通信端末装置では、その電話機能とファクシミリ機能の切り替えをユーザが手動で行う必要がある。このため、上記のように名刺から電話番号又はファクシミリ番号を自動で読み取った場合であっても、端末装置の機能設定が誤っていると、電話番号とファクシミリ番号を誤って発信してしまったり、まったく発信できなかったりする不具合がある。
【０００７】
本発明は、このような事情に鑑みてなされたもので、簡単かつ正確に電話又はファクシミリの発信を行うことができる複合通信端末装置を提供することを目的とする。
【課題を解決するための手段】
【０００８】
請求項１に係る発明は、前記目的を達成するために、回線を通じて接続された相手と受話器を介して通話する電話機能と、原稿トレイにセットされた原稿の内容を読み取り、回線を通じて指定された送信先に送信するファクシミリ機能とを備えた複合通信端末装置において、電話番号及び／又はファクシミリ番号が記憶された無線ＩＣタグから電話番号及び／又はＦＡＸ番号を読み取る読取手段と、オフフックを検出するオフフック検出手段と、前記原稿トレイにセットされた原稿を検出する原稿検出手段と、前記オフフック検出手段及び前記原稿検出手段の検出結果に基づき前記読取手段で読み取った電話番号又はファクシミリ番号に発信する発信手段であって、前記読取手段で電話番号又は電話番号とファクシミリ番号が読み取られ、前記オフフック検出手段でオフフックが検出されると、前記読取手段で読み取った電話番号に発信し、前記読取手段でファクシミリ番号又はファクシミリ番号と電話番号が読み取られ、前記原稿検出手段で原稿が検出されると、前記読取手段で読み取ったファクシミリ番号に発信する発信手段と、を備えたことを特徴とする複合通信端末装置を提供する。
【０００９】
本発明によれば、読取手段で無線ＩＣタグに記憶された電話番号又は電話番号とファクシミリ番号が読み取られ、オフフック検出手段でオフフックが検出されると、読取手段で読み取った電話番号に発信し、読取手段で無線ＩＣタグに記憶されたファクシミリ番号又はファクシミリ番号と電話番号が読み取られ、原稿検出手段で原稿が検出されると、読取手段で読み取ったファクシミリ番号に発信する。これにより、ユーザの使用目的に応じた通信先に簡単かつ正確に発信することができる。
【００１０】
また、請求項２に係る発明は、前記目的を達成するために、前記読取手段で読み取った電話番号及び／又はファクシミリ番号を表示する表示手段を備えたことを特徴とする請求項１に記載の複合通信端末装置を提供する。
【００１１】
本発明によれば、読取手段で無線ＩＣタグから読み取った電話番号及び／又はファクシミリ番号が表示手段に表示される。
【００１２】
また、請求項３に係る発明は、前記目的を達成するために、前記読取手段で電話番号を読み取った後、一定時間内に前記オフフック検出手段によるオフフックの検出がない場合、前記読取手段でファクシミリ番号を読み取った後、一定時間内に前記原稿検出手段による原稿の検出がない場合、又は、前記読取手段で電話番号とファクシミリ番号を読み取った後、一定時間内に前記オフフック検出手段によるオフフックの検出、又は、前記原稿検出手段による原稿の検出がない場合に警告を発する警告手段を備えたことを特徴とする請求項１又は２に記載の複合通信端末装置を提供する。
【００１３】
本発明によれば、読取手段で無線ＩＣタグから電話番号を読み取った後、一定時間内にオフフック検出手段によるオフフックの検出がない場合、読取手段で無線ＩＣタグからファクシミリ番号を読み取った後、一定時間内に原稿検出手段による原稿の検出がない場合、又は、読取手段で無線ＩＣタグから電話番号とファクシミリ番号を読み取った後、一定時間内にオフフック検出手段によるオフフックの検出、又は、原稿検出手段による原稿の検出がない場合、警告手段によって警告が発せられる。
【００１４】
また、請求項４に係る発明は、前記目的を達成するために、通話を行った通話日時及びファクシミリを送信したファクシミリ送信日時を計時する計時手段と、前記計時手段で計時された通話日時又はファクシミリ送信日時を前記無線ＩＣタグに書き込む書込手段と、を備え、前記読取手段は、前記無線ＩＣタグに記憶された電話番号及び／又はファクシミリ番号を読み取るとともに、前記無線ＩＣタグに記憶された前回の通話日時及び／又はファクシミリ送信日時を読み取り、前記表示手段は、前記読取手段で読み取った電話番号及び／又はファクシミリ番号を表示するとともに、前記読取手段で読み取った前回の通話日時及び／又はファクシミリ送信日時を表示することを特徴とする請求項２又は３に記載の複合通信端末装置を提供する。
【００１５】
本発明によれば、通話を行った通話日時及びファクシミリを送信したファクシミリ送信日時が計時手段によって計時される。計時手段で計時された通話日時又はファクシミリ送信日時は、書込手段によって無線ＩＣタグに書き込まれる。次回通話時又はファクシミリ送信時、無線ＩＣタグに記憶された通話日時、ファクシミリ送信日時が読取手段によって読み取られ、前回の通話日時、ファクシミリ送信日時として表示手段に表示される。
【発明の効果】
【００１６】
本発明に係る複合通信端末装置によれば、簡単かつ正確に電話又はファクシミリの発信を行うことができる。
【発明を実施するための最良の形態】
【００１７】
以下、添付図面に従って本発明に係る複合通信端末装置を実施するための最良の形態について説明する。
【００１８】
図１は本発明に係る複合通信端末装置の一実施形態を示すブロック図である。本実施の形態の複合通信端末装置１０は、電話機能とファクシミリ機能とを備えた複合通信端末装置であり、主としてユーザが各種操作を行う操作部１２、動作状態などを表示する表示部１４、原稿を読み取るスキャナ部１６、外部から受信したファクシミリデータを記録紙に印字出力するプリンタ部１８、画像データを符号化・復号化する画像ＣＯＤＥＣ２０、通信回線Ｌへのダイヤル信号の送出等の網制御を行う通信制御部２２、通信するデータを変調・復調するモデム部２４、電話機を構成する通話用のハンドセット２６、音声データをアナログ／デジタル・デジタル／アナログ変換するＡ／Ｄ・Ｄ／Ａ変換部２８、デジタル音声データを複合化・符号化する音声ＣＯＤＥＣ３０、ハンドセット２６のオフフックを検出するオフフック検出部３２、ＲＦＩＤ（Radio Frequency Identification）タグへのデータの読み書きを行うＲＦＩＤリーダ／ライタ部３４、送信原稿の有無を検出する原稿検出部３６、現在時刻や所定の動作を行ってからの経過時間を計時する計時部３８、警告ブザーを発生するブザー発生部４０、全体の動作を統括制御する主制御部４２で構成され、各部はバス４４で接続されている。
【００１９】
主制御部（制御手段）４２は、ＣＰＵ（Central Processing Unit ）、ＲＯＭ（Read Only Memory）、ＲＡＭ（Random Access Memory）等を備え、ＲＯＭには、ＣＰＵが実行するプログラムや制御に必要な各種データ等が記憶されている。ＣＰＵは、ＲＯＭに記憶されたプログラムに基づいてＲＡＭをワークメモリとして使用しつつ、複合通信端末装置１０の各部を統括制御する。
【００２０】
ハンドセット２６は、スピーカとマイクを備えており、所定のハンドセットホルダから持ち上げるとオフフックとなり、置くとオンフックとなる。オフフック検出部３２は、このハンドセット２６のオフフックを検出し、主制御部４２に出力する。オフフックの検出方法としては、たとえば、ハンドセットホルダにハンドセット２６の重さでＯＮ又はＯＦＦするスイッチを設け、そのスイッチのＯＮ又はＯＦＦによって、ハンドセット２６のオフフックを検出する。また、たとえば、ハンドセット２６がワイヤレスで構成されている場合には、そのハンドセット２６の通話スイッチに連動して、オフフックを検出する。
【００２１】
スキャナ部１６は、自動原稿送り機構を備えており、原稿トレイにセットされた送信原稿を自動で読取部に送り、原稿排出トレイに排出する。原稿検出部３６は、このスキャナ部に設けられた原稿トレイにセットされる送信原稿の有無を検出し、主制御部４２に出力する。送信原稿の検出方法としては、たとえば、原稿トレイに原稿の重さでＯＮ又はＯＦＦするスイッチを設け、そのスイッチのＯＮ又はＯＦＦによって、送信原稿の有無を検出する。あるいは、原稿トレイに赤外線センサなどのセンサを設けて、原稿トレイに送信原稿が置かれたことを検出する。
【００２２】
ＲＦＩＤリーダ／ライタ部３４は、主制御部４２による制御の下、複合通信端末装置１０に近づけられたＲＦＩＤタグに無線でデータを読み書きする。なお、本例では、図２に示すように、名刺１に付されたＲＦＩＤタグ２に無線でデータを読み書きするものとし、電話番号やファクシミリ番号、前回の通話日時、ファクシミリ送信日時等の情報を読み書きするものとする。
【００２３】
図３はＲＦＩＤタグ２の電気的構成を示すブロック図である。同図に示すように、ＲＦＩＤタグ２は、アンテナ用コイル３、共振コンデンサ４、整流・平滑回路５、変復調回路６、ＣＰＵ７、ＲＯＭ８及びＥＥＰＲＯＭ９で構成されている。
【００２４】
アンテナ用コイル３は、共振コンデンサ４と並列に接続されて共振回路を構成し、ＲＦＩＤリーダ／ライタから送信される所定の高周波数の電力用電波信号を受信して整流・平滑回路５に供給する。
【００２５】
整流・平滑回路５は、動作用電源回路を構成するもので、共振回路から送信されてきた電力用電波信号を整流し、平滑化して一定電圧の直流電力（動作用電力）にしてＣＰＵ７などに供給する。
【００２６】
ＲＦＩＤリーダ／ライタ部３４から送信されてくる信号は、電力用電波信号に重畳して送信され、その信号は変復調回路６により復調されてＣＰＵ７に与えられる。
【００２７】
ＣＰＵ７は、ＲＯＭ８に記憶された動作プログラムに従って動作し、変復調回路６から入力される信号に応じた処理を実行し、受信したデータをＥＥＰＲＯＭ９に書き込んだり、ＥＥＰＲＯＭ９からデータを読み出して変復調回路６により変調し、アンテナ用コイル３から電波信号として送信したりする。
【００２８】
上記構成のＲＦＩＤタグ２において、整流・平滑回路５、変復調回路６、ＣＰＵ７、ＲＯＭ８、ＥＥＰＲＯＭ９はＩＣチップとされ、アンテナ用コイル３とともにフィルムに実装されて、名刺１に貼付される。
【００２９】
図４は、ＲＦＩＤリーダ／ライタ部の電気的構成を示すブロック図である。同図に示すように、ＲＦＩＤリーダ／ライタ部３４は、送信アンテナ用コイル５０を備えた送信部５２と、受信アンテナ用コイル５４を備えた受信部５６と、全体を制御するリーダ／ライタ制御部５８とで構成されている。
【００３０】
ＲＦＩＤタグ２と通信する場合は、キャリア信号を送信部５２で変調して電力用電波信号として送信アンテナ用コイル５０から送信し、その後、送信すべきデータ信号を電力用電波信号に重畳するように送信部５２で変調して送信アンテナ用コイル５０から送信する。ＲＦＩＤタグ２から送信された電波信号については、これを受信アンテナ用コイル５４で受信し、受信部５６で復調してデータとして弁別する。
【００３１】
以上のように構成された本実施の形態の複合通信端末装置１０の作用は、次のとおりである。
【００３２】
本実施の形態の複合通信端末装置１０では、ハンドセット２６を持ち上げた状態（オフフックの状態）で有効なＲＦＩＤタグ２が付された名刺１を複合通信端末装置１０にかざすと、あるいは、有効なＲＦＩＤタグ２が付された名刺１を複合通信端末装置１０にかざして、ハンドセット２６を持ち上げると、名刺１に付されたＲＦＩＤタグ２から電話番号の情報が読み取られ、自動発信される。また、原稿トレイに送信原稿をセットした状態で有効なＲＦＩＤタグ２が付された名刺１を複合通信端末装置１０にかざすと、あるいは、原稿トレイに送信原稿をセットした状態で有効なＲＦＩＤタグ２が付された名刺１を複合通信端末装置１０にかざして、原稿トレイに送信原稿をセットすると、名刺１に付されたＲＦＩＤタグ２からファクシミリ番号の情報が読み取られ、自動発信される。
【００３３】
図５は、本実施の形態の複合通信端末装置１０の動作の処理手順を示すフローチャートである。
【００３４】
ＲＦＩＤタグ２が付された名刺１が複合通信端末装置１０に近づけると、そのＲＦＩＤタグ２に記録されている情報がＲＦＩＤリーダ／ライタ部３４に読み取られる（ステップＳ１０）。読み取られた情報は、主制御部４２に出力される。
【００３５】
主制御部４２は、ＲＦＩＤリーダ／ライタ部３４で読み取った情報が、有効なＲＦＩＤ情報か否か判定する（ステップＳ１１）。すなわち、読み取った情報に電話番号又はファクシミリ番号が含まれているか否か判定する。
【００３６】
この判定の結果、有効なＲＦＩＤ情報でない場合、主制御部４２は、表示部１４に警告メッセージ（たとえば「電話番号、ファクシミリ番号を読み取れませんでした。」）を表示させるとともに、ブザー発生部４０に警告ブザーを発生させる（ステップＳ１２）。
【００３７】
一方、有効なＲＦＩＤ情報と判定した場合は、次に、その読み取った情報に電話番号が含まれているか否かを判定する（ステップＳ１３）。
【００３８】
読み取った情報に電話番号が含まれていない場合、主制御部４２は、複合通信端末装置１０のモードをファクシミリモードに移行させ（ステップＳ１４）、ファクシミリの発信処理を実行する。
【００３９】
一方、読み取った情報に電話番号が含まれていると判定した場合は、次に、読み取った情報にファクシミリ番号が含まれているか判定する（ステップＳ１５）。
【００４０】
読み取った情報にファクシミリ番号が含まれていない場合、主制御部４２は、複合通信端末装置１０のモードを電話モードへと移行させ（ステップＳ１６）、電話の発信処理を実行する。
【００４１】
一方、読み取った情報にファクシミリ番号が含まれている場合、主制御部４２は、複合通信端末装置１０のモードを電話・ファクシミリモードへと移行させ（ステップＳ１７）、電話又はファクシミリの発信処理を実行する。
【００４２】
まず、ファクシミリモードにおけるファクシミリの発信処理の手順を図６に示すフローチャートに従って説明する。
【００４３】
ファクシミリモードに移行すると、主制御部４２は、読み取ったファクシミリ番号を表示部１４に表示する（ステップＳ２０）。
【００４４】
そして、原稿検出部３６からの出力に基づき原稿トレイに送信原稿がセットされているか否か判定する（ステップＳ２１）。
【００４５】
この判定の結果、原稿トレイに送信原稿がセットされていると判定すると、読み取ったファクシミリ番号に発信し（ステップＳ２２）、ファクシミリの送信処理を実行する。
【００４６】
一方、原稿トレイに送信原稿がセットされていないと判定すると、主制御部４２は、ＲＦＩＤタグ２の読み取りを行ってから一定時間（規定の待ち時間）が経過したか否か判定する（ステップＳ２３）。
【００４７】
ここで、この経過時間の計測は計時部３８で行われ、計時部３８は、主制御部４２の制御の下、ＲＦＩＤタグ２が読み取られてからの経過時間を計測する。
【００４８】
主制御部４２は、この計時部３８で計時される経過時間と、あらかじめＲＯＭに記録された規定の待ち時間とを比較し、ＲＦＩＤリーダ／ライタ部３４がＲＦＩＤタグ２を読み取ってから一定時間（規定の待ち時間）を経過したか否か判定する。
【００４９】
この判定の結果、ＲＦＩＤタグ２の読み取りから一定時間が経過したと判定すると、主制御部４２は、表示部１４に警告メッセージ（たとえば「原稿トレイに送信原稿をセットしてください」）を表示させるとともに、ブザー発生部４０に警告ブザーを発生させる（ステップＳ２４）。
【００５０】
次に、電話モードにおける電話の発信処理の手順を図７に示すフローチャートに従って説明する。
【００５１】
電話モードに移行すると、主制御部４２は、読み取った電話番号を表示部１４に表示する（ステップＳ３０）。
【００５２】
そして、オフフック検出部３２からの出力に基づきハンドセット２６が上げられているか否かを判定する（ステップＳ３１）。
【００５３】
この判定の結果、ハンドセット２６が上げられている（オフセット状態）と判定すると、読み取った電話番号に発信し（ステップＳ３２）、通信処理を実行する。
【００５４】
一方、ハンドセット２６が上がっていない（オンフック状態）と判定すると、主制御部４２は、ＲＦＩＤタグ２の読み取りを行ってから一定時間（規定の待ち時間）が経過したか否か判定する（ステップＳ３３）。そして、一定時間が経過していると判定すると、主制御部４２は、表示部１４に警告メッセージ（たとえば「ハンドセットを上げてください」）を表示させるとともに、ブザー発生部４０に警告ブザーを発生させる（ステップＳ３４）。
【００５５】
次に、電話・ファクシミリモードにおける電話又はファクシミリの発信処理の手順を図８に示すフローチャートに従って説明する。
【００５６】
電話モードに移行すると、主制御部４２は、読み取った電話番号とファクシミリ番号を表示部１４に表示する（ステップＳ４０）。
【００５７】
次に、オフフック検出部３２からの出力に基づきハンドセット２６が上げられているか否かを判定する（ステップＳ４１）。ハンドセット２６が上げられていると判定した場合は、読み取った電話番号に発信し（ステップＳ４２）、通信処理を実行する。
【００５８】
一方、ハンドセット２６が上がっていないと判定した場合、次に、主制御部４２は、原稿検出部３６からの出力に基づき原稿トレイに送信原稿がセットされているか否か判定する（ステップＳ４３）。そして、原稿トレイに送信原稿がセットされていると判定すると、読み取ったファクシミリ番号に発信し（ステップＳ４４）、ファクシミリの送信処理を実行する。
【００５９】
一方、原稿トレイに送信原稿がセットされていないと判定すると、主制御部４２は、ＲＦＩＤタグ２の読み取りを行ってから一定時間（規定の待ち時間）が経過したか否か判定する（ステップＳ４５）。そして、一定時間が経過していると判定すると、表示部１４に警告メッセージ（たとえば「原稿トレイに送信原稿をセットしてください、または、ハンドセットを上げてください」）を表示させるとともに、ブザー発生部４０に警告ブザーを発生させる（ステップＳ４６）。
【００６０】
以上説明したように、本実施の形態の複合通信端末１０によれば、ハンドセットを持ち上げ、または、原稿トレイに送信原稿をセットして、有効なＲＦＩＤタグ２が付された名刺１を複合通信端末装置１０に近づけるだけで、使用目的に応じた発信先に自動発信される。これにより、電話機能とファクシミリ機能の切り替えを行うことなく、簡単かつ正確に電話又はファクシミリの発信を行うことができる。
【００６１】
なお、本実施の形態のようにＲＦＩＤタグから電話番号又はファクシミリ番号を読み取って、電話又はファクシミリの送信を行った場合、その電話の通話日時、ファクシミリの送信日時をＲＦＩＤタグに書き込むことが好ましい。そして、そのＲＦＩＤタグに書き込んだファクシミリの送信日時、電話の通話日時は、次回ファクシミリの送信時又は電話時に電話番号等と共に読み取って、表示部１４に表示することが好ましい（図３参照）。
【００６２】
また、本実施の形態では、ＲＦＩＤタグ２を名刺１に付しているが、ＲＦＩＤタグを付すものは、これに限定されるものではない。
【００６３】
また、本実施の形態では、無線ＩＣタグとして、ＲＦＩＤタグを用いているが、内蔵するメモリに非接触でデータを読み書きできる形態のものであれば、これに限定されるものではない。
【図面の簡単な説明】
【００６４】
【図１】本発明に係る複合通信端末装置の一実施形態を示すブロック図
【図２】ＲＦＩＤタグ付の名刺の構成を示す平面図
【図３】ＲＦＩＤタグの電気的構成を示すブロック図
【図４】ＲＦＩＤリーダ／ライタの電気的構成を示すブロック図
【図５】本実施の形態の複合通信端末装置の動作の処理手順を示すフローチャート
【図６】ファクシミリモードにおけるファクシミリの発信処理の手順を示すフローチャート
【図７】電話モードにおける電話の発信処理の手順を示すフローチャート
【図８】電話・ファクシミリモードにおける電話又はファクシミリの発信処理の手順を示すフローチャート
【符号の説明】
【００６５】
１…名刺、２…ＲＦＩＤタグ、３…アンテナ用コイル、４…共振コンデンサ、５…整流・平滑回路、６…変復調回路、７…ＣＰＵ、８…ＲＯＭ、９…ＥＥＰＲＯＭ、１０…複合通信端末装置、１２…操作部、１４…表示部、１６…スキャナ部、１８…プリンタ部、２０…画像ＣＯＤＥＣ、２２…通信制御部、２４…モデム部、２６…ハンドセット、２８…Ａ／Ｄ・Ｄ／Ａ変換部、３０…音声ＣＯＤＥＣ、３２…オフフック検出部、３４…ＲＦＩＤリーダ／ライタ部、３６…原稿検出部、３８…計時部、４０…ブザー発生部、４２…主制御部、４４…バス、５０…送信アンテナ用コイル、５２…送信部、５４…受信アンテナ用コイル、５６…受信部
【図１】
2005348027.tif 000003
【図２】
2005348027.tif 000004
【図３】
2005348027.tif 000005
【図４】
2005348027.tif 000006
【図５】
2005348027.tif 000007
【図６】
2005348027.tif 000008
【図７】
2005348027.tif 000009
【図８】
2005348027.tif 000010